(57)【特許請求の範囲】
【請求項１】
棒状工具を収容するために、互いに同一の構成にて形成してなる一側及び他側の両ケーシング部材を備える工具容器において、
前記一側及び他側の両ケーシング部材の各々は、
長手矩形状底壁と、この底壁の左縁部、右縁部、前端部及び後端部からそれぞれ前記底壁に対しＬ字状に折れ曲がるように延出されて前記底壁とともに断面コ字状収容部を構成する左壁、右壁、前壁及び後壁と、前記前壁の前方へ突設してなる前側ヒンジ部と、前記後壁の後方へ突設してなる後側ヒンジ部とを具備して、
前記左壁にて、前記底壁の左縁部のうちその長手方向一側部位から当該底壁に対しＬ字状に折れ曲がって延出する左側外壁部と、この左側外壁部にその内側から沿うように前記底壁の前後方向に亘り当該底壁から延出する左側内壁部とにより構成され、
前記右壁にて、前記底壁の右縁部のうち前記左縁部の前記長手方向一側部位に対向する長手方向一側対向部位から前記底壁に対しＬ字状に折れ曲がって延出する右側外壁部と、この右側外壁部にその内側から沿うように前記底壁の前後方向に亘り当該底壁から延出してこの底壁、前記前後両壁及び前記左側内壁部とともに断面コ字状収容部を構成する右側内壁部とにより構成されており、
前記一側ケーシング部材の前記前側ヒンジ部は、前記他側ケーシング部材の前記後側ヒンジ部とともに、当該後側ヒンジ部と係脱可能にヒンジ結合するように第１ヒンジ機構を構成し、かつ、前記一側ケーシング部材の前記後側ヒンジ部は、前記他側ケーシング部材の前記前側ヒンジ部とともに、当該前側ヒンジ部と係脱可能にヒンジ結合するように第２ヒンジ機構を構成してなり、
前記他側ケーシング部材の前記左右両側外壁部が、それぞれ、前記一側ケーシング部材の前記底壁のうち前記左右両縁部の前記各長手方向他側部位に係合し、前記一側ケーシング部材の前記左右両側外壁部が、それぞれ、前記他側ケーシング部材の前記底壁のうち前記左右両縁部の前記各長手方向他側対向部位に係合し、前記第１及び第２のヒンジ機構が、それぞれ、ヒンジ結合状態になることで、前記他側ケーシング部材の前記収容部が前記一側ケーシング部材の前記収容部に係合したとき、当該両収容部でもって前記棒状工具を収容するための収容空間部を構成するようにしたことを特徴とする工具容器。
【請求項２】
前記一側及び他側の両ケーシング部材の各々において、
前記底壁の前記左縁部のうち長手方向他側部位は、その少なくとも一部にて、前記左側外壁部よりも左側へ突出して左側爪部を形成し、一方、前記底壁の前記右縁部のうち前記左縁部の前記長手方向他側部位に対向する長手方向他側対向部位は、その少なくとも一部にて、前記右側外壁部よりも右側へ突出して右側爪部を形成してなり、
前記左右両側内壁部の前記底壁からの各延出長さは、前記前壁及び前記後壁の前記底壁からの延出長さと共に、前記左右両側外壁部の各延出長さの半分となっており、  
前記一側及び他側の両ケーシング部材がその各収容部にて互いに係合するとき前記他側ケーシング部材の前記右側外壁部及び前記一側ケーシング部材の前記左側外壁部はその各対向端部にて互いに一様に係合するように形成され、かつ、前記他側ケーシング部材の前記左側外壁部及び前記一側ケーシング部材の前記右側外壁部はその各対向端部にて互いに一様に係合するように形成されていることを特徴とする請求項１に記載の工具容器。
【請求項３】
前記第１ヒンジ機構の前記前側及び後側のヒンジ部の一方は、前記一側ケーシング部材の前記前壁からその前方へ突設されて当該前壁の延出方向に向け開口するように形成してなる凹部と、この凹部から前方へ突出する舌片とを備え、
前記第１ヒンジ機構の前記前側及び後側のヒンジ部の他方は、前記他側ケーシング部材の前記左右両壁のうち前記後壁に対する各後方延出部位の間に前記凹部と係脱可能に支持されるロッドを備えており、
前記第２ヒンジ機構の前記前側及び後側のヒンジ部の一方は、前記他側ケーシング部材の前記前壁からその前方へ突設されて当該前壁の延出方向に向け開口するように形成してなる凹部と、この凹部から前方へ突出する舌片とを備え、
前記第２ヒンジ機構の前記前側及び後側のヒンジ部の他方は、前記一側ケーシング部材の前記左右両壁のうち前記後壁に対する各後方延出部位の間に前記一側ケーシング部材の前記前側ヒンジ部の前記凹部と係脱可能に支持されるロッドを備えることを特徴とする請求項１または２に記載の工具容器。
【発明の詳細な説明】
【技術分野】
【０００１】
本発明は、ドリルやエンドミル等の棒状工具を収容するに適した工具容器に関する。
【背景技術】
【０００２】
従来、この種の工具容器においては、下記特許文献１に記載の工具ケースが提案されている。この工具ケースは、断面正方形状の下ケースと、この下ケースにその開口端部から嵌装される断面正方形状の上ケースとを備えている。
【０００３】
しかして、棒状工具を上記工具容器に収容するにあたっては、棒状工具を下ケース内に挿入した後、下ケースの開口端部から露出する棒状ケースの露出部位を包囲するようにして下ケースにその開口端部から上ケースを嵌装することとなる。
【先行技術文献】
【特許文献】
【０００４】
【特許文献１】特開２００２−２８４２６７号公報
【発明の概要】
【発明が解決しようとする課題】
【０００５】
ところで、上記工具容器においては、下ケース及び上ケースが、共に、合成樹脂を用いて、ブロー成型により形成されている。ここで、下ケース及び上ケースは、相互に形状を異にするため、下ケース及び上ケースをそれぞれブロー成型により形成するには、下ケース用金型及び上ケース金型が、それぞれ、独自に必要とされる。従って、下ケース及び上ケースの製造工程が複雑になるとともに製造コストの上昇を招くという不具合がある。
【０００６】
また、上記工具容器においては、下ケース及び上ケースが共に断面正方形状にて筒状に形成されている。このため、上述のように棒状工具を収容するにあたり、上ケースを下ケースに嵌装するには、上ケースの開口端部を下ケースの開口端部に同軸的に対向させなければならない。しかしながら、上ケース及び下ケースの各開口端部の開口形状は、相互に嵌め合わせ形状となっていることから、上述のような嵌装作業は面倒であるという不具合もある。
【０００７】
そこで、本発明は、以上のようなことに対処するため、棒状工具のための収容空間部を構成すべく共に同一形状でもって容易に嵌め合わせ可能に形成するように工夫を凝らしてなる両ケーシング部材を備えてなる工具容器を提供することを目的とする。
【課題を解決するための手段】
【０００８】
上記課題の解決にあたり、本発明に係る工具容器は、請求項１の記載によれば、
棒状工具を収容するために、互いに同一の構成にて形成してなる一側及び他側の両ケーシング部材（１０、２０）を備える。
当該工具容器において、一側及び他側の両ケーシング部材の各々は、
長手矩形状底壁（１０ａ、２０ａ）と、この底壁の左縁部、右縁部、前端部及び後端部からそれぞれ上記底壁に対しＬ字状に折れ曲がるように延出されて上記底壁とともに断面コ字状収容部（Ｓａ、Ｓｂ）を構成する左壁（１０ｂ、２０ｂ）、右壁（１０ｃ、２０ｃ）、前壁（１０ｄ、２０ｄ）及び後壁（１０ｅ、２０ｅ）と、上記前壁の前方へ突設してなる前側ヒンジ部（１０ｇ、２０ｇ）と、上記後壁の後方へ突設してなる後側ヒンジ部（１０ｈ、２０ｈ）とを具備して、
上記左壁にて、上記底壁の左縁部のうちその長手方向一側部位から当該底壁に対しＬ字状に折れ曲がって延出する左側外壁部と、この左側外壁部にその内側から沿うように上記底壁の前後方向に亘り当該底壁から延出する左側内壁部とにより構成され、
上記右壁にて、上記底壁の右縁部のうち上記左縁部の上記長手方向一側部位に対向する長手方向一側対向部位から上記底壁に対しＬ字状に折れ曲がって延出する右側外壁部と、この右側外壁部にその内側から沿うように上記底壁の前後方向に亘り当該底壁から延出してこの底壁、上記前後両壁及び上記左側内壁部とともに断面コ字状収容部を構成する右側内壁部とにより構成されており、
一側ケーシング部材の上記前側ヒンジ部（１０ｇ）は、他側ケーシング部材の上記後側ヒンジ部（２０ｈ）とともに、当該後側ヒンジ部と係脱可能にヒンジ結合するように第１ヒンジ機構（Ｈｆ）を構成し、かつ、一側ケーシング部材の上記後側ヒンジ部（１０ｈ）は、他側ケーシング部材の上記前側ヒンジ部（２０ｇ）とともに、当該前側ヒンジ部と係脱可能にヒンジ結合するように第２ヒンジ機構（Ｈｒ）を構成してなり、
他側ケーシング部材（２０）の上記左右両側外壁部（２１、２３）が、それぞれ、一側ケーシング部材（１０）の上記底壁のうち上記左右両縁部の上記各長手方向他側部位（Ｐ１、Ｐ２）に係合し、一側ケーシング部材（１０）の上記左右両側外壁部（１１、１３）が、それぞれ、他側ケーシング部材の上記底壁のうち上記左右両縁部の上記各長手方向他側対向部位（Ｑ１、Ｑ２）に係合し、上記第１及び第２のヒンジ機構が、それぞれ、ヒンジ結合状態になることで、他側ケーシング部材の上記収容部が一側ケーシング部材の上記収容部に係合したとき、当該両収容部でもって棒状工具を収容するための収容空間部を構成するようにしたことを特徴とする。
【０００９】
これによれば、両ケーシング部材は、共に、同一の構成を有するように形成されている。ここで、上述のごとく、一側及び他側のケーシング部材の各左壁及び各右壁が、それぞれ、外壁部及び内壁部でもって構成されているものの、両ケーシング部材は、共に、同一の構成を有するように形成されている。従って、工具容器が、例えば、合成樹脂製或いは金属製である場合に、両ケーシング部材の各成形用金型が必要であるとき、当該各成型用金型は、一側ケーシング部材及び他側ケーシング部材の各々に対し別々に準備することを必要とせず、両ケーシング部材の一方に対する金型を準備すればよい。
【００１０】
その結果、両ケーシング部材の各成形は、同一の金型を用いて行うことで、当該工具容器の製造工程や製造作業が非常に簡素化されるのは勿論のこと、金型コスト、ひいては、当該工具容器の製造コストが低減され得る。
【００１１】
また、上述のように構成した工具容器を閉じるにあたっては、上述のごとく、第１及び第２のヒンジ機構が、それぞれ、ヒンジ結合状態にすることで、他側ケーシング部材の上記収容部を一側ケーシング部材の上記収容部に係合させる。すると、これに伴い、当該両収容部は棒状工具を収容するための収容空間部を構成する。
このとき、他側ケーシング部材の左右両側外壁部は、それぞれ、一側ケーシング部材の底壁のうち左右両縁部の各長手方向他側部位に係合し、一側ケーシング部材の左右両側外壁部は、それぞれ、他側ケーシング部材の底壁のうち左右両縁部の各長手方向他側対向部位に係合する。
【００１２】
従って、棒状工具を当該工具容器内に収容した場合、当該棒状工具は、上述のような当該工具容器の閉状態のもとに、両ケーシング部材の各収容部からなる収容空間部内にて密封されることとなる。
このとき、一側ケーシング部材の左側内壁部及び左側外壁部が、他側ケーシング部材の左側内壁部及び左側外壁部と共に、両ケーシング部材の各左壁を２重壁構造として構成し、かつ、一側ケーシング部材の右側内壁部及び右側外壁部が、他側ケーシング部材の右側内壁部及び右側外壁部と共に、両ケーシング部材の各右壁を２重壁構造として構成する。
その結果、上記棒状工具に油が付着していても、この油が、上記２重壁構造のもと、両ケーシング部材の間から漏れ出にくく、また、異物が、上記２重壁構造のもと、両ケーシング部材の間から上記収容空間部内に混入しにくい。
【００１３】
また、上述のように他側ケーシング部材の上記収容部を一側ケーシング部材の上記収容部に係合させることで、他側ケーシング部材の左壁、右壁、前壁及び後壁が、その各延出端部にて、それぞれ、一側ケーシング部材の左壁、右壁、前壁及び後壁の各延出端部に係合する。
ここで、上述のように、一側ケーシング部材の左側内壁部及び左側外壁部が、他側ケーシング部材の左側内壁部及び左側外壁部と共に、両ケーシング部材の各左壁を２重壁構造として構成し、かつ、一側ケーシング部材の右側内壁部及び右側外壁部が、他側ケーシング部材の右側内壁部及び右側外壁部と共に、両ケーシング部材の各右壁を２重壁構造として構成する。
【００１４】
従って、当該工具容器が一側ケーシング部材の底壁にて例えば作業台上に置かれた状態にあるとき、外力が当該工具容器に対しその両左側外壁部或いは両右側外壁部を介し底壁に平行な方向に作用しても、上述のような２重壁構造のもとに、両左側外壁部或いは両右側外壁部が左側内壁部或いは右側内壁部とともに、左右方向に対する外力に対し良好な強度を確保し得る。従って、当該工具容器が上述の左右方向に対する外力によって変形することはない。
また、当該工具容器においては、他側ケーシング部材の両内壁部がそれぞれ一側ケーシング部材の両内壁部上に係合するのに加えて、上述のように、他側ケーシング部材の上記左右両側外壁部は、それぞれ、一側ケーシング部材の上記底壁のうち上記左右両縁部の上記各長手方向他側部位に係合し、一側ケーシング部材の上記左右両側外壁部は、それぞれ、他側ケーシング部材の上記底壁のうち上記左右両縁部の上記各長手方向他側対向部位に係合する。
このため、当該工具容器が一側ケーシング部材の底壁にて例えば作業台上に置かれた状態にあるとき、当該工具容器を、他側ケーシング部材の底壁から下方に向けて指で押さえ込んでも、この押さえ込みによる外力が、上述した２重壁構造のもとに、他側ケーシング部材の左壁、右壁、前壁及び後壁を介しその各壁面方向に沿い一側ケーシング部材の左壁、右壁、前壁及び後壁にその各壁面方向に向けて作用することとなる。その結果、上述のように外力が工具容器に作用しても、当該工具容器は潰れる等の変形を生じにくく上記外力に対し良好な強度を確保し得る。
【００１５】
また、上述のように閉じた状態にある当該工具容器をその後端部側から開くにあたっては、第２ヒンジ機構のヒンジ結合を解除することで、例えば、他側ケーシング部材を一側ケーシング部材に対しその後端部側から傾斜状に開く。一方、当該工具容器をその前端部側から開くにあたっては、第１ヒンジ機構のヒンジ結合を解除することで、例えば、一側ケーシング部材を他側ケーシング部材に対しその前端端部側から傾斜状に開く。
【００１６】
これにより、当該工具容器を、その後端部側或いは前端部側から容易にかつ確実に開くことができるのは勿論のこと、棒状工具が当該工具容器に収容してあれば、当該棒状工具を容易に工具容器から取り出すことができる。
【００１７】
また、上述のごとく当該工具容器をその後端部側或いは前端部側から開く過程においては、一側ケーシング部材は、第１ヒンジ機構或いは第２ヒンジ機構を介し他側ケーシング部材とヒンジ結合しているので、両ケーシング部材の一方が他方のケーシング部材から外れて、棒状工具と共に落下するという事態が発生することはない。
【００１８】
また、本発明は、請求項２の記載によれば、請求項１に記載の工具容器において、
一側及び他側の両ケーシング部材の各々にて、
上記底壁の上記左縁部のうち長手方向他側部位（Ｐ１、Ｑ１）は、その少なくとも一部にて、上記左側外壁部よりも左側へ突出して左側爪部（Ｐ１ａ、Ｑ１ａ）を形成し、一方、上記底壁の上記右縁部のうち上記左縁部の上記長手方向他側部位に対向する長手方向他側対向部位（Ｐ２、Ｑ２）は、その少なくとも一部にて、上記右側外壁部よりも右側へ突出して右側爪部（Ｐ２ａ、Ｑ２ａ）を形成してなり、
上記左右両側内壁部の上記底壁からの各延出長さは、上記前壁及び上記後壁の上記底壁からの延出長さと共に、上記左右両側外壁部の各延出長さの半分となっており、
一側及び他側の両ケーシング部材がその各収容部にて互いに係合したとき他側ケーシング部材の上記右側外壁部及び一側ケーシング部材の上記左側外壁部は、その各対向端部にて、互いに一様に係合するような形状に形成され、かつ、他側ケーシング部材の上記左側外壁部及び一側ケーシング部材の上記右側外壁部は、その各対向端部にて、互いに一様に係合するような形状に形成されていることを特徴とする。
【００１９】
これによれば、上述のごとく、一側及び他側の両ケーシング部材の各々において、上記底壁の上記左縁部のうち長手方向他側部位は、その少なくとも一部にて、上記左側外壁部よりも左側へ突出して左側爪部を形成し、一方、上記底壁の上記右縁部のうち上記左縁部の上記長手方向他側部位に対向する長手方向他側対向部位は、その少なくとも一部にて、上記右側外壁部よりも右側へ突出して右側爪部を形成してなる。
このため、上述のように、他側ケーシング部材の収容部を一側ケーシング部材の収容部に係合させたとき、一側ケーシング部材の左右両縁部の各長手方向他側部位は、それぞれ、その左右両側爪部にて、他側ケーシング部材の左右両側外壁部よりも左右に突出し、かつ、他側ケーシング部材の底壁のうち左右両縁部の各長手方向他側対向部位は、それぞれ、その左右両側爪部にて、一側ケーシング部材の左右両側外壁部よりも左右に突出する。
従って、上述のように閉じた状態にある当該工具容器をその後端部側或いは前端部側から開くにあたり、他側ヒンジ機構或いは一側ヒンジ機構のヒンジ結合は、一側ケーシング部材或いは他側ケーシング部材をその左右両側爪部とともに両指で挟持して行えば、両指の左右両側爪部からの外れを招くことなく、容易に解除し得る。これにより、請求項１に記載の作用効果がより一層向上され得る。
また、上述したごとく、一側及び他側の両ケーシング部材の各々にて、上記左右両側内壁部の上記底壁からの各延出長さは、上記前壁及び上記後壁の上記底壁からの延出長さと共に、上記左右両側外壁部の各延出長さの半分となっており、一側及び他側の両ケーシング部材がその各収容部にて互いに係合したとき他側ケーシング部材の上記右側外壁部及び一側ケーシング部材の上記左側外壁部は、その各対向端部にて、互いに一様に係合するような形状に形成され、かつ、他側ケーシング部材の上記左側外壁部及び一側ケーシング部材の上記右側外壁部は、その各対向端部にて、互いに一様に係合するような形状に形成されている。
このため、上述のように、他側ケーシング部材の左右両側外壁部が、それぞれ、一側ケーシング部材の底壁のうち左右両縁部の各長手方向他側部位に係合し、一側ケーシング部材の左右両側外壁部が、それぞれ、他側ケーシング部材の底壁のうち左右両縁部の各長手方向他側対向部位に係合したとき、他側ケーシング部材が、その右側外壁部の対向端部にて、一側ケーシング部材の左側外壁部の対向端部に一様に係合するとともに、他側ケーシング部材が、その左側外壁部の対向端部にて、一側ケーシング部材の右側外壁部の対向端部に一様に係合する。
従って、棒状工具を当該工具容器内に収容した場合、当該棒状工具は、上述のような当該工具容器の閉状態では、上記２重壁構造のもとに、両ケーシング部材の各収容部からなる収容空間部内にてより一層良好に密封され得る。これにより、請求項１に記載の作用効果がより一層向上され得る。
【００２８】
また、本発明は、請求項３の記載によれば、請求項１または２に記載の工具容器において、
上記第１ヒンジ機構の上記前側及び後側のヒンジ部（１０ｇ、２０ｈ）の一方（１０ｇ）は、一側ケーシング部材の上記前壁からその前方へ突設されて当該前壁の延出方向に向け開口するように形成してなる凹部（１５ａ）と、この凹部から前方へ突出する舌片（１６）とを備え、
上記第１ヒンジ機構の上記前側及び後側のヒンジ部の他方（２０ｈ）は、他側ケーシング部材の上記左右両壁のうち上記後壁に対する各後方延出部位の間に上記凹部と係脱可能に支持されるロッド（２８）を備えており、
上記第２ヒンジ機構の上記前側及び後側のヒンジ部（２０ｇ、１０ｈ）の一方（２０ｇ）は、他側ケーシング部材の上記前壁からその前方へ突設されて当該前壁の延出方向に向け開口するように形成してなる凹部（２５ａ）と、この凹部から前方へ突出する舌片（２６）とを備え、
上記第２ヒンジ機構の上記前側及び後側のヒンジ部（２０ｇ、１０ｈ）の他方（１０ｈ）は、一側ケーシング部材の上記左右両壁のうち上記後壁に対する各後方延出部位の間に一側ケーシング部材の上記前側ヒンジ部の上記凹部と係脱可能に支持されるロッド（１８）を備えることを特徴とする。
【００２９】
これによれば、工具容器をその前端部側から開くにあたっては、第１ヒンジ機構の前側ヒンジ部の舌片を一側ケーシング部材の底壁の前端部側へ傾斜させるように軽く指で押さえる。
【００３０】
このような状態では、第１ヒンジ機構の前側ヒンジ部の凹部が広く開く。このため、一側ケーシング部材を、その両外壁部にて両指で挟み込むようにして、他側ケーシング部材に対しその左右両側爪部に指を引っかけて下方へ引っ張ると、第１ヒンジ機構の前側ヒンジ部が、その凹部にて、第１ヒンジ機構の後側ヒンジ部のロッドから容易に外れて、第２ヒンジ機構を基準にして、他側ケーシング部材から下方へ傾斜状に回動する。
【００３１】
これにより、当該工具容器を、その前端部側から容易にかつ確実に開くことができるのは勿論のこと、棒状工具が当該工具容器に収容してあれば、当該棒状工具を容易に工具容器から取り出すことができる。
【００３２】
また、当該工具容器を後端部側から開くにあたっては、第２ヒンジ機構の前側ヒンジ部の舌片を他側ケーシング部材の底壁の後端部側へ傾斜させるように軽く指で押さえる。
【００３３】
このような状態では、第２ヒンジ機構の前側ヒンジ部におけるブロックの凹部が広く開く。このため、他側ケーシング部材を、その両外壁部にて挟み込むようにして、一側ケーシング部材に対しその左右両側爪部に指を引っかけて上方へ引っ張ると、第２ヒンジ機構の前側ヒンジ部が、その凹部にて、第２ヒンジ機構の後側ヒンジ部のロッドから容易に外れて、第１ヒンジ機構を基準にして、一側ケーシング部材から上方へ傾斜状に回動する。
【００３４】
これにより、当該工具容器を、その後端部側から容易にかつ確実に開くことができるのは勿論のこと、棒状工具が当該工具容器に収容してあれば、当該棒状工具を容易に工具容器から取り出すことができる。
【００３５】
また、上述のごとく当該工具容器をその後端部側或いは前端部側から開く過程においては、一側ケーシング部材は、第１ヒンジ機構或いは第２ヒンジ機構を介し他側ケーシング部材とヒンジ結合しているので、両ケーシング部材の一方が他方のケーシング部材から外れて、棒状工具と共に落下するという事態が発生することはない。
【００３６】
なお、上記各手段の括弧内の符号は、後述する実施形態に記載の具体的手段との対応関係を示す。
【図面の簡単な説明】
【００３７】
【図１】本発明に係る工具容器の一実施形態を閉状態にて示す斜視図である。
【図２】図１の工具容器を開状態にて示す斜視図である。
【図３】図１の一側ケーシング部材或いは他側ケーシング部材を示す斜視図である。
【図４】図３の一側ケーシング部材或いは他側ケーシング部材を示す平面図である。
【図５】図４の一側ケーシング部材或いは他側ケーシング部材を示す左側面図である。
【図６】図４の一側ケーシング部材或いは他側ケーシング部材を示す右側面図である。
【図７】図４の一側ケーシング部材或いは他側ケーシング部材を示す背面図である。
【図８】図４の一側ケーシング部材或いは他側ケーシング部材を示す前面図である。
【図９】図４の一側ケーシング部材或いは他側ケーシング部材を示す後面図である。
【図１０】図４にて１０−１０線に沿う縦断面図である。
【図１１】図４にて１１−１１線に沿う横断面図である。
【図１２】図１の工具容器をその後端部側から開く状態を示す斜視図である。
【図１３】図１の工具容器をその前端部側から開く状態を示す斜視図である。
【発明を実施するための形態】
【００３８】
以下、本発明の一実施形態を図面により説明する。
【００３９】
図１は、本発明に係る工具容器の一実施形態を示している。当該工具容器は、長手状のもので、この工具容器は、ドリルやエンドミル等の棒状工具を収容するために用いられる。
【００４０】
なお、図１において、当該工具容器の図示長手方向左側及び図示長手方向右側が、当該工具容器の前側及び後側に対応する。従って、当該工具容器の幅方向両側が、当該工具容器の左右両側に対応する。また、図１において、当該工具容器の厚さ方向両側が当該工具容器の上下両側に対応する。
【００４１】
当該工具容器は、図１或いは図２にて示すごとく、長手状の両側ケーシング部材１０、２０でもって構成されている。これら両側ケーシング部材１０、２０は、共に、合成樹脂射出成形機（図示しない）による射出成形によって、例えば、ポリプロピレン（ＰＰ）を用いて、同一の構成を有するように形成されており、当該両側ケーシング部材１０、２０は、互いに係脱可能に嵌め合わされて、当該工具容器を構成する。なお、一側ケーシング部材１０は、黒色のポリプロピレンにより形成され、他側ケーシング部材２０は、白色透明のポリプロピレンにより形成されている。
【００４２】
一側ケーシング部材１０は、図２〜図７のいずれかにて示すごとく、細幅長手状の底壁１０ａと、左右両壁１０ｂ、１０ｃと、前後両壁１０ｄ、１０ｅとを備えている。
【００４３】
ここで、底壁１０ａは、平板状に形成されている。左右両壁１０ｂ、１０ｃは、それぞれ、底壁１０ａの左右両縁部から当該底壁１０ａに直交して上方へ一体的に延出されており、前後両壁１０ｄ、１０ｅは、それぞれ、底壁１０ａの前後両端部から当該底壁１０ａに直交して上方へ一体的に延出されている。
【００４４】
左壁１０ｂは、図２〜図５のいずれかにて示すごとく、外壁部１１及び内壁部１２を有している。なお、以下、外壁部１１及び内壁部１２は、それぞれ、左側外壁部１１及び左側内壁部１２ともいう。
【００４５】
左側外壁部１１は、底壁１０ａの左縁部のうち前側半分部位から当該底壁１０ａに直交して上方へ一体的に延出されている。この左側外壁部１１は、図２、図３或いは図５にて示すごとく、両円弧部１１ａ、１１ｂを有しており、これら両円弧部１１ａ、１１ｂは、左側外壁部１１の後端部にて、当該工具容器の下面から上面までの厚さ方向中央部から互いに逆向きに凸な円弧状に延出するように上下方向へ形成されている。ここで、両円弧部１１ａ、１１ｂは、その各延出基部にて、当該工具容器の上記厚さ方向中央部を通る厚さ方向線と接するように互いに上下方向へ延出している（図５参照）。
【００４６】
また、左側内壁部１２は、左側外壁部１１の内側に沿い、底壁１０ａのうちその前端部よりも後側部位（図３及び図４参照）から底壁１０ａの後端部（図３及び図４参照）にかけて位置するように、底壁１０ａに直交して上方へ延出されている。
【００４７】
ここで、左側内壁部１２は、上記工具容器の下面から上面までの厚さの半分の厚さのうち底壁１０ａの肉厚の２倍を除く長さだけ当該底壁１０ａの上面から上方へ延出している。また、左側内壁部１２は、その前側半分部位１２ａ（図４参照）にて、左側外壁部１１に沿いその内側から一体的に形成されており、左側内壁部１２の後側半分部位１２ｂは、左側外壁部１１の後方にて左方に向け露出している。これに伴い、底壁１０ａの左縁部は、その後側半分部位（以下、符号Ｐ１にて示す）にて、左側外壁部１１の後方にて、左側内壁部１２の後側半分部位１２ｂから左側へ突出している。ここで、当該後側半分部位Ｐ１は、その左端突出部にて、左側外壁部１１よりも左側へ突出し、左側爪部Ｐ１ａを形成する。
【００４８】
右壁１０ｃは、図２〜図４及び図６のいずれかにて示すごとく、外壁部１３及び内壁部１４を有している。なお、以下、外壁部１３及び内壁部１４は、右側外壁部１３及び右側内壁部１４ともいう。
【００４９】
右側外壁部１３は、左壁１０ｂの左側外壁部１１に平行となるように対向して、底壁１０ａの右縁部のうち前側半分部位から当該底壁１０ａに直交して上方へ一体的に延出されている。
【００５０】
この右側外壁部１３は、図２、図３或いは図６にて示すごとく、両円弧部１３ａ、１３ｂを有しており、これら両円弧部１３ａ、１３ｂは、両円弧部１１ａ、１１ｂと同様の構成を有し、かつ当該両円弧部１１ａ、１１ｂに対向するように、右側外壁部１３の後端部にて、当該工具容器の上記厚さ方向中央部から互いに逆向きに凸な円弧状に延出するように上下方向へ形成されている。ここで、両円弧部１３ａ、１３ｂは、その各延出基部にて、当該工具容器の上記厚さ方向中央部を通る厚さ方向線と接するように互いに上下方向へ延出している（図６参照）。
【００５１】
また、右側内壁部１４は、左壁１０ｂの内壁部１２に平行となるように対向するとともに底壁１０ａのうちその前端部よりも後側部位（図３及び図４参照）から底壁１０ａの後端部（図３及び図４参照）にかけて位置するように、右側外壁部１３の内側に沿い、底壁１０ａに直交して上方へ延出している。
【００５２】
ここで、右側内壁部１４は、左壁１０ｂの左側内壁部１２と同一の長さだけ当該底壁１０ａの上面から上方へ延出している。また、右側内壁部１４は、その前側半分部位１４ａにて、右側外壁部１３に沿いその内側から一体的に形成されており、右側内壁部１４の後側半分部位１４ｂは、右側外壁部１３の後方にて右側へ露出している。これに伴い、底壁１０ａの右縁部は、その後側半分部位（以下、符号Ｐ２により示す）にて、右側外壁部１３の後方において、右側内壁部１４の後側半分部位１４ｂから右側へ突出している。ここで、当該後側半分部位Ｐ２は、その右端突出部にて、右側外壁部１３よりも右側へ突出し、右側爪部Ｐ２ａを形成する。
【００５３】
前後両壁１０ｄ、１０ｅのうち、前壁１０ｄは、底壁１０ａのうちその前端部の後側部位から上方へ延出されており、当該前壁１０ｄは、その左右両側端部にて、両内壁部１２、１４に直交するように当該両内壁部１２、１４の各前端部と一体的に形成されている。
【００５４】
また、後壁１０ｅは、底壁１０ａのうちその後端部よりも前側部位から上方へ延出されており、当該後壁１０ｅは、その左右両側端部にて、両内壁部１２、１４に直交するように当該両内壁部１２、１４のうちその各後端部よりも各前側部位と一体的に形成されている。
【００５５】
以上のように構成することにより、左右両壁１０ｂ、１０ｃの各内壁部１２、１４及び前後両壁１０ｄ、１０ｅは、断面コの字状の収容部Ｓａ（図３或いは図４参照）を一側ケーシング部材１０の底壁１０ａ上に形成する。なお、収容部Ｓａは、その開口部にて、上方へ開口している。
【００５６】
また、一側ケーシング部材１０は、図３〜図７のいずれかにて示すごとく、両ヒンジ部１０ｇ、１０ｈを有しており、ヒンジ部１０ｇは、一側ケーシング部材１０の前端部に設けられており、一方、ヒンジ部１０ｈは、一側ケーシング部材１０の後端部に設けられている。
【００５７】
ヒンジ部１０ｇは、他側ケーシング部材２０のヒンジ部２０ｈ（後述する）と共に、前側ヒンジ機構Ｈｆを構成する。このヒンジ部１０ｇは、立方体状のブロック１５と、舌片１６とを備えており、ブロック１５は、左右両側外壁部１１、１３の各前端部の間にて底壁１０ａの前端部及び前壁１０ｄの左右方向中央部と一体になるように底壁１０ａの前端部上に突出形成されている。
【００５８】
ここで、ブロック１５は、その上端部にて、前壁１０ｄの上端部よりも上方へ突出されており、当該ブロック１５の前端部は、底壁１０ａ及び左右両側外壁部１１、１３の前端部よりも前方へ突出されている（図３、図４、図５及び図８参照）。
【００５９】
また、当該ブロック１５は、図４及び図１０にて示すごとく、Ｕ字状凹部１５ａを有しており、この凹部１５ａは、ブロック１５をその上面から下方に向けてＵ字状に切り欠くことで、形成されている。これにより、凹部１５ａは、上方及び左右方向に開口するように形成されており、この凹部１５ａのＵ字状内面のうち前側上端部には、左右方向に延在する隆起部１５ｂが、上記Ｕ字状内面のうち後側上端部に向けて隆起形成されている。なお、盗み孔部１７が、図４にて例示するごとく、底壁１０ａの前端部の左右方向中央部位及びこの左右方向中央部位に対するブロック１５の対応部位に亘り、Ｕ字状凹部１５ａから底壁１０ａの前端部の左右方向中央部位にかけて形成されており、この盗み孔部１７は、一側ケーシング部材１０の樹脂成形の際に形成される。
【００６０】
舌片１６は、底壁１０ａの上面に平行となるように、ブロック１５の前側上端部から前方を延出されており、この舌片１６の上面には、滑り止め部１６ａが、左右方向に延在するように隆起形成されている。
【００６１】
ヒンジ部１０ｈは、他側ケーシング部材２０のヒンジ部２０ｇ（後述する）と共に、後側ヒンジ機構Ｈｒを構成する。このヒンジ部１０ｈは、図２、図４、図５或いは図６にて示すごとく、ロッド１８を有しており、このロッド１８は、その左右両端部にて、後壁１０ｅの上端部から前方へ間隔をおいて、ケーシング部材１０の左右両側内壁部１２、１４の各後端部上に固着されている。これにより、当該ロッド１８は、後壁１０ｅの上端部との間に係止孔部１８ａ（図４参照）を形成する。
【００６２】
一方、ケーシング部材２０は、上述したごとく、ケーシング部材１０と同様の形状に構成されている。従って、このケーシング部材２０は、ケーシング部材１０の底壁１０ａ、両後側半分部位Ｐ１、Ｐ２、左右両側爪部Ｐ１ａ、Ｐ２ａ、左右両壁１０ｂ、１０ｃ、前後両壁１０ｄ、１０ｅ及び両ヒンジ部１０ｇ、１０ｈにそれぞれ対応する底壁２０ａ、両後側半分部位Ｑ１、Ｑ２、左右両側爪部Ｑ１ａ、Ｑ２ａ、左右両壁２０ｂ、２０ｃ、前後両壁２０ｄ、２０ｅ及び両ヒンジ部２０ｇ、２０ｈでもって、ケーシング部材１０と同様の形状に形成されている（図１〜図７参照）。
【００６３】
ここで、ケーシング部材２０において、左壁２０ｂは、左壁１０ｂの左側外壁部１１及び左側内壁部１２にそれぞれ対応する左側外壁部２１及び左側内壁部２２でもって左壁１０ｂと同様に形成され、右壁２０ｃは、右壁１０ｃの右側外壁部１３及び右側内壁部１４にそれぞれ対応する右側外壁部２３及び右側内壁部２４でもって右壁２０ｂと同様に形成されている（図１〜図６照）。これにより、左側内壁部２２、右側内壁部２４及び前後両壁２０ｄ、２０ｅが、ケーシング部材１０の収容部Ｓａに対応する収容部Ｓｂ（図２或いは図３参照）を構成する。
【００６４】
なお、左側外壁部２１は、左側外壁部１１の両円弧部１１ａ、１１ｂに対応する両円弧部２１ａ、２１ｂを有するとともに、右側外壁部２３は、右側外壁部１２の両円弧部１２ａ、１２ｂに対応する両円弧部２３ａ、２３ｂを有する。
【００６５】
また、ケーシング部材２０において、ヒンジ部２０ｇは、ヒンジ部１０ｇのブロック１５及び舌片１６にそれぞれ対応するブロック２５及び舌片２６でもって、ヒンジ部１０ｇと同様の構成にて、ケーシング部材２０の前端部に設けられ、ヒンジ部２０ｈは、ヒンジ部１０ｈのロッド１８に対応するロッド２８を有して、ヒンジ部１０ｈと同様の構成にて、ケーシング部材２０の後端部に設けられている（図３及び図４参照）。
【００６６】
なお、本実施形態では、当該工具容器は上述のごとくポリプロピレン（ＰＰ）でもって形成されているが、当該工具容器の各外壁部及び各内壁部は、それぞれ、ポリプロピレン（ＰＰ）の硬さのもと指による力程度では変形しにくい厚さに形成されている。
【００６７】
以上のように構成した本実施形態において、当該工具容器を構成する両側ケーシング部材１０、２０は、上述のごとく、共に、合成樹脂射出成形機による射出成形でもって、同一の構成を有するように形成されている。
【００６８】
従って、合成樹脂射出成形機による射出成形にあたり必要とされる両ケーシング部材１０、２０の各成形用金型は、双方を別々に準備することを必要とせず、両ケーシング部材１０、２０の一方に対する金型を準備すればよい。
【００６９】
その結果、両ケーシング部材１０、２０の各射出成形は、同一の金型を用いて行うことで、当該工具容器の製造工程や製造作業が非常に簡素化されるのは勿論のこと、金型コスト、ひいては、当該工具容器の製造コストが低減され得る。
【００７０】
また、上述のように構成した当該工具容器が、例えば、図１にて示す状態にあるものとする。このとき、ケーシング部材２０が、その収容部Ｓｂの開口部にて、ケーシング部材１０の収容部Ｓａの開口部に係合するようにして当該ケーシング部材１０に嵌め合わされて当該工具容器を閉じている。このことは、両ケーシング部材１０、２０の各収容部Ｓａ、Ｓｂが閉じてエンドミル等の棒状工具を収容する収容空間部を形成することを意味する。
【００７１】
このように工具容器を閉じた状態においては、ケーシング部材２０が、その左壁２０ｂ及び右壁２０ｃにて、それぞれ、ケーシング部材１０の左壁１０ｂ及び右壁１０ｃに上方から係合している。
【００７２】
このとき、ケーシング部材２０の左壁２０ｂの左側内壁部２２及び右壁２０ｃの右側内壁部２４が、それぞれ、ケーシング部材１０の左壁１０ｂの左側内壁部１２及び右壁１０ｃの右側内壁部１４に上方から係合し、ケーシング部材２０の左壁２０ｂの左側外壁部２１及び右壁２０ｃの右側外壁部２３が、それぞれ、ケーシング部材１０の後側半分部位Ｐ１及び後側半分部位Ｐ２上に係合し、かつ、ケーシング部材２０の後側半分部位Ｑ１及び後側半分部位Ｑ２が、それぞれ、ケーシング部材１０の左壁１０ｂの左側外壁部１２及び右壁１０ｃの右側外壁部１３上に係合している。
【００７３】
ここで、ケーシング部材２０の左右両壁２０ｂ、２０ｃが、上述のごとく底壁２０ａから延出するように構成され、ケーシング部材１０の左右両壁１０ｂ、１０ｃが、上述のごとく底壁１０ａから延出するように構成されている。さらに、ケーシング部材２０の左側外壁部２１の両円弧部２１ａ、２１ｂ及び右側外壁部２３の両円弧部２３ａ、２３ｂが、それぞれ、上述のごとく、ケーシング部材１０の左側外壁部１１の両円弧部１１ａ、１１ｂ及び右側外壁部１３の両円弧部２３ａ、１３ｂと同様に構成されている。
【００７４】
従って、上述のように工具容器を閉じた状態では、左壁２０ｂの左側外壁部２１及び左側内壁部２２の各延出端部が、それぞれ、ケーシング部材１０の後側半分部位Ｐ１上及び左側内壁部１２の延出端部上に一様に係合し、右壁２０ｃの右側外壁部２３及び右側内壁部２４の各延出端部が、それぞれ、ケーシング部材１０の後側半分部位Ｐ２上及び右側内壁部１４の延出端部上に一様に係合し、ケーシング部材２０の後側半分部位Ｑ１及び後側半分部位Ｑ２が、それぞれ、ケーシング部材１０の左壁１０ｂの左側外壁部１１の延出端部上及び右壁１０ｃの右側外壁部１３の延出端部上に一様に係合し、また、左側外壁部２１の両円弧部２１ａ、２１ｂが左側外壁部１１の両円弧部１１ａ、１１ｂに一様に係合し、かつ、右側外壁部２３の両円弧部２３ａ、２１ｂが右側外壁部１２の両円弧部１２ａ、１１ｂに一様に係合している。このため、当該工具容器は、両ケーシング部材１０、２０により一様に閉じられている。
【００７５】
また、このような状態にあっては、ケーシング部材２０のヒンジ部２０ｈが、ケーシング部材１０のヒンジ部１０ｇにヒンジ結合するとともにケーシング部材２０のヒンジ部２０ｇが、ケーシング部材１０のヒンジ部１０ｈにヒンジ結合している。
【００７６】
ここで、ヒンジ部２０ｈが、ロッド２８にて、ヒンジ部１０ｇのブロック１５の凹部１５ａ内に係合して、隆起部１５ｂにより抜け止めされている。一方、ヒンジ部１０ｈが、ロッド１８にて、ヒンジ部２０ｇのブロック２５の凹部２５ａ内に係合して、隆起部２５ｂにより抜け止めされている。このため、上述した工具容器は、上述した両ヒンジ部２０ｈ、１０ｇのヒンジ結合及び両ヒンジ部２０ｇ、１０ｈのヒンジ結合のもとに、確実に閉状態に保持され得る。
【００７７】
従って、棒状工具を当該工具容器内に収容した場合、当該棒状工具は、上述のような当該工具容器の閉状態のもとに、両ケーシング部材１０、２０の各収容部Ｓａ、Ｓｂからなる収容空間部内にて密封されることとなる。その結果、上記棒状工具に油が付着していても、この油が両ケーシング部材１０、２０の各収容部Ｓａ、Ｓｂの開口部の間から漏れ出ることがなく、また、異物が両ケーシング部材１０、２０の各収容部Ｓａ、Ｓｂの開口部の間から上記収容空間部内に混入することもない。
【００７８】
また、当該工具容器においては、上述のごとく、ケーシング部材２０の両内壁部２２、２４がそれぞれケーシング部材１０の両内壁部１２、１４上に係合するのに加えて、ケーシング部材２０の両外壁部２１、２３がそれぞれケーシング部材１０の両後側半分部位Ｐ１、Ｐ２上に係合するとともにケーシング部材２０の両後側半分部位Ｑ１、Ｑ２がケーシング部材１０の両外壁部１１、１３上に係合している。
【００７９】
これにより、当該工具容器は、外壁部１１及び後側半分部位Ｑ１の相互係合と外壁部２１及び後側半分部位Ｐ１の相互係合との双方からなる２重壁相互係合と、外壁部１３及び後側半分部位Ｑ２の相互係合及び外壁部２３及び後側半分部位Ｐ２の相互係合との双方からなる２重壁相互係合のもとに、閉状態に保持されることとなる。ここで、当該工具容器の各外壁部及び各内壁部は、上述したごとく、それぞれ、ポリプロピレン（ＰＰ）の硬さのもと指による力程度では変形しにくい厚さに形成されている。
【００８０】
従って、当該工具容器は、外力によっては容易には変形しない強度を維持することとなる。その結果、当該工具容器がケーシング部材１０の底壁１０ａにて例えば作業台上に置かれた状態にて、当該工具容器を、ケーシング部材２０の底壁２０ａから下方に向けて指で押さえ込んでも、指による外力がケーシング部材２０の底壁２０ａの厚さ方向にケーシング部材１０の底壁１０ａに向けて作用する。
【００８１】
換言すれば、指による押さえ力が、ケーシング部材２０の左壁２０ｂ、右壁２０ｃ、前壁２０ｄ及び後壁２０ｅを介しその各壁面方向に沿いケーシング部材１０の左壁１０ｂ、右壁１０ｃ、前壁１０ｄ及び後壁１０ｅにその各壁面方向に向けて作用する。その結果、上述のように指による押さえ力が工具容器に作用しても、当該工具容器は潰れる等の変形を生じることなく上記外力に対し良好な強度を確保し得る。
【００８２】
また、上述のように、ケーシング部材２０の左側内壁部２２及び左側外壁部２１が、ケーシング部材１０の左側内壁部１２及び左側外壁部１１と共に、両ケーシング部材２０、１０の各左壁を２重壁構造として構成し、かつ、ケーシング部材２０の右側内壁部２４及び右側外壁部２３が、ケーシング部材１０の右側内壁部１４及び右側外壁部１３と共に、両ケーシング部材１０、２０の各右壁を２重壁構造として構成する。
【００８３】
従って、当該工具容器がケーシング部材１０の底壁１０ａにて例えば作業台上に置かれた状態にあるときに、指による外力が当該工具容器に対しその両左側外壁部或いは両右側外壁部を介し底壁に平行な方向に作用しても、上述のような２重壁構造のもとに、両左側外壁部１１、２１或いは両右側外壁部１３、２３が両左側内壁部１２、２２或いは両右側内壁部１４、２４とともに、左右方向に対する外力に対し良好な強度を確保し得る。従って、当該工具容器が上述の左右方向に対する外力によって変形することはない。
【００８４】
また、上述のように閉じた状態にある当該工具容器は、次のようにして、後端部側或いは前端部側から開く。
【００８５】
例えば、当該工具容器を後端部側から開くにあたっては、上述のヒンジ機構Ｈｒ（ケーシング部材２０のヒンジ部２０ｇ及びケーシング部材１０のヒンジ部１０ｈ）のヒンジ連結を次のようにして解除する。即ち、ヒンジ部２０ｇの舌片２６をその隆起部２６ａを介しケーシング部材２０の底壁２０ａの後端部側へ傾斜させるように軽く指で押さえる。このとき、隆起部２６ａが指の滑り止めの役割を果たすので、上述のごとく舌片２６を指で押さえる際に指が舌片２６から外れることなく当該舌片２６を指でもって確実に抑えることができる。
【００８６】
このような状態では、ヒンジ部２０ｇにおけるブロック２５の凹部２５ａの隆起部２５ｂと後壁２０ｄとの間隔が、ブロック２５の弾力に抗して広くなる。このため、ケーシング部材２０を、その両外壁部２１、２３にて一方の手の両指で挟み込むようにし、かつ、ケーシング部材１０の左右両側爪部Ｐ１ａ、Ｐ２ａを他方の手の両指で挟持するようにして、ケーシング部材１０に対し上方へ引っ張る。ここで、左右両側爪部Ｐ１ａ、Ｐ２ａが両外壁部１１、１３よりも左右両側へ突出しているので、ケーシング部材１０をしっかりと把持することができる。
【００８７】
従って、上述のようにケーシング部材２０をケーシング部材１０に対し上方へ引っ張ると、ヒンジ部２０ｇが、その凹部２５ａにて、ケーシング部材１０のヒンジ部１０ｈのロッド１８から容易に外れて、ヒンジ機構Ｈｆ（ケーシング部材２０のヒンジ部２０ｈ及びケーシング部材１０のヒンジ部１０ｇ）を基準にして、ケーシング部材１０から上方（図１２に図示矢印の方向参照）へ傾斜状に回動する。
【００８８】
これにより、当該工具容器を、その後端部側から容易にかつ確実に開くことができるのは勿論のこと、棒状工具が当該工具容器に収容してあれば、当該棒状工具を容易に工具容器から取り出すことができる。
【００８９】
一方、当該工具容器を前端部側から開くにあたっては、上述のヒンジ機構Ｈｆのヒンジ連結を次のようにして解除する。即ち、ヒンジ部１０ｇの舌片１６をその隆起部１６ａを介しケーシング部材１０の底壁１０ａの前端部側へ傾斜させるように軽く指で押さえる。このとき、隆起部１６ａが指の滑り止めの役割を果たすので、上述のごとく舌片１６を指で押さえる際に指が舌片１６から外れることなく当該舌片２６を指でもって確実に抑えることができる。
【００９０】
このような状態では、ヒンジ部１０ｇにおけるブロック１５の凹部１５ａの隆起部１５ｂと後壁１０ｅとの間隔がブロック１５の弾力に抗して広くなる。このため、ケーシング部材１０を、その両外壁部３１１、１３にて一方の手の両指で挟み込むようにするとともに、ケーシング部材２０の左右両側爪部Ｑ１ａ、Ｑ２ａを他方の手の両指で挟持するようにして、ケーシング部材２０に対し下方へ引っ張る。ここで、左右両側爪部Ｑ１ａ、Ｑ２ａが両外壁部２１、２３よりも左右両側へ突出しているので、ケーシング部材１０をしっかりと把持することができる。
【００９１】
従って、上述のようにケーシング部材１０をケーシング部材２０に対し下方へ引っ張ると、ヒンジ部１０ｇが、その凹部１５ａにて、ケーシング部材２０のヒンジ部２０ｈのロッド２８から容易に外れて、ヒンジ機構Ｈｒを基準にして、ケーシング部材２０から下方（図１３に図示矢印の方向参照）へ傾斜状に回動する。
【００９２】
これにより、当該工具容器を、その前端部側或いは後端部側から容易にかつ確実に開くことができるのは勿論のこと、棒状工具が当該工具容器に収容してあれば、当該棒状工具を容易に工具容器から取り出すことができる。
【００９３】
また、上述のごとく当該工具容器をその後端部側或いは前端部側から開く過程においては、ケーシング部材１０は、ヒンジ機構Ｈｆ或いはヒンジ機構Ｈｒを介しケーシング部材２０とヒンジ結合しているので、両ケーシング部材１０、２０の一方が他方のケーシング部材から外れて、棒状工具と共に落下するという事態が発生することはない。
【００９４】
なお、本発明の実施にあたり、上記実施形態に限ることなく、次のような種々の変形例が挙げられる。
（１）本発明の実施にあたり、両ヒンジ部１０ｇ、１０ｈは、ケーシング部材１０とは別の構成部として把握してもよく、また、両ヒンジ部２０ｇ、２０ｈは、ケーシング部材２０とは別の構成部として把握してもよい。即ち、工具容器は、ヒンジ機構Ｈｆ及びヒンジ機構Ｈｒを、両ケーシング部材１０、２０には含まれない別の各機構を有するものと把握してもよい。
（２）本発明の実施にあたり、ケーシング部材１０の両外壁部１１、１３の各後端部は、上記実施形態とは異なり、底壁１０ａの前後方向中央部にて当該底壁１０ａに対し直交するように形成されていてもよく、また、ケーシング部材２０の両外壁部２１、２３の各後端部は、上記実施形態とは異なり、底壁２０ａの前後方向中央部にて当該底壁２０ａに対し直交するように形成されていてもよい。
（３）本発明の実施にあたり、当該工具容器の形成材料は、上記実施形態にて述べたポリプロピレンに限ることなく、各種の合成樹脂材料であってもよく、また、金属であってもよい。
（４）本発明の実施にあたり、両ケーシング部材１０、２０において、各左側外壁部１１、２１及び各右側外壁部１３、２３を廃止してもよい。なお、各左側内壁部１２、２２及び各右側内壁部１４、２４の各厚さは、それぞれ、各左側外壁部１１、２１及び各右側外壁部１３、２３の厚さを含む厚さであってもよい。
【符号の説明】
【００９５】
１０…一側ケーシング部材、１０ａ、２０ａ…底壁、１０ｂ、２０ｂ…左壁、
１０ｃ、２０ｃ…右壁、１０ｄ、２０ｄ…前壁、１０ｅ、２０ｅ…後壁、
１０ｇ、１０ｈ、２０ｇ、２０ｈ…ヒンジ部、１１、１３、２１、２３…外壁部、
１２、１４、２２、２４…内壁部、１５ａ、２５ａ…凹部、１６、２６…舌片、
１８、２８…ロッド、２０…他側ケーシング部材、Ｈｆ、Ｈｒ…ヒンジ機構、
Ｐ１、Ｐ２、Ｑ１、Ｑ２…後側半分部位。
【図１】
0005419814.tif 000002
【図２】
0005419814.tif 000003
【図３】
0005419814.tif 000004
【図４】
0005419814.tif 000005
【図５】
0005419814.tif 000006
【図６】
0005419814.tif 000007
【図７】
0005419814.tif 000008
【図８】
0005419814.tif 000009
【図９】
0005419814.tif 000010
【図１０】
0005419814.tif 000011
【図１１】
0005419814.tif 000012
【図１２】
0005419814.tif 000013
【図１３】
0005419814.tif 000014